(57)【要約】      （修正有）【課題】生魚が泳ぐ水の背面の背後に配設された透光性フィルムの全面が透過光により明るく光り、あたかも透光性フィルムに描かれた景色等の画像のなかを生魚が泳いでいるように見え、背面の景色と一体感があり、極めて商品価値の高い水槽装置を提供する。【解決手段】少なくとも正面及び背面１ｂが透明な板材２，３で構成され内部に水を入れてその中で生魚４を育成する水槽装置１において、背面１ｂの背後に配設された透光性フィルム５と、該透光性フィルムの更に背後に配置された光源８と、該光源からの光を広い範囲に均等の明るさにして透光性フィルム５に平面的に広がった光を供給するように多数の溝９ａが形成された導光板９と、該導光板の更に背後に密着して配置された光反射板１０とからなる照明装置６とを備えた構成を特徴とする。【選択図】図３
0003131568.tif 000002
【実用新案登録請求の範囲】
【請求項１】
小なくとも正面及び背面が透明な板材で構成され内部に水を入れてその中で生魚を育成する水槽装置において、少なくとも前記背面を構成する透明な前記板材に密着してその背後において差し替え可能に構成され各種の画像が描かれた透光性フィルムと、該透光性フィルムの更に背後に配置され光源と該光源からの光を広い範囲に均等の明るさにして前記透光性フィルムに平面的に広がった光を供給するように多数の溝が形成された導光板と該導光板の更に背後に密着して配置された反射板とからなる照明装置とを備え、前記照明装置からの光が前記透光性フィルムの全面を明るく照明し該透光性フィルムの前記画像を前記生魚が泳ぐ水を通して前記正面から見ることができるようにしたことを特徴とする水槽装置。
【請求項２】
前記導光板の溝は、格子状であることを特徴とする請求項１に記載の水槽装置。
【請求項３】
前記光源は、発光ダイオードであることを特徴とする請求項１又は２に記載の水槽装置。
【考案の詳細な説明】
【技術分野】
【０００１】本考案は、水槽装置に係り、特に光源からの光を導光板及び反射板により広い範囲を均等な明るさで照明する照明装置を設け、この照明装置からの均等な明るさの光を各種の画像が描かれた透光性フィルムを透過させて該透光性フィルムの全面を明るく照明し、透明な正面の板材から生魚が泳ぐ水を通して透光性フィルムの画像が明るく見えるようにして、あたかも透光性フィルムの画像に描かれた景色等の中を生魚が泳いでいるように見えるようにした非常に商品価値の高い水槽装置に関する。
【背景技術】
【０００２】従来、生魚を育成し、鑑賞するための水槽装置には各種のものが提供されているが、正面の透明な板材から見える背面の板材又はその背後に設置された背景画の板は、水槽装置の上部等に設けられた蛍光灯等の照明装置によって水を通して照明されていたに過ぎず、このため背景画の板は、その全面が均等に照明されることは望めず、光源に近いところが明るく、光源から遠ざかるにしたがって次第に暗くなり、画像にむらがあり、また画像はあくまで反射光によるものであったため、水中を泳ぐ魚と背景の画像とがあまり一体感がなく、背景画の中を生魚が泳いでいるかのような印象を得ることは到底不可能であり、あまりインテリア性が高いものとは言えず、商品価値もさほど高いものではなかった。【０００３】なお、本願出願人及び考案者は、本願考案に対する特許文献及び非特許文献を知らないので、その記載を省略する。
【考案の開示】
【考案が解決しようとする課題】
【０００４】本考案は、上記した従来技術の欠点を除くためになされたものであって、その目的とするところは、少なくとも正面及び背面が透明な板材で構成され内部に水を入れてその中で生魚を育成する水槽装置において、少なくとも背面を構成する透明な板材に密着してその背後において差し替え可能に構成され各種の画像が描かれた透光性フィルムと、該透光性フィルムの更に背後に配置され光源と該光源からの光を広い範囲に均等の明るさにして透光性フィルムに平面的に広がった光を供給するように多数の溝が形成された導光板と該導光板の更に背後に密着して配置された光反射板とからなる照明装置とを備え、照明装置からの光が透光性フィルムの全面を明るく照明し該透光性フィルムの画像を生魚が泳ぐ水を通して正面から見ることができるようにすることによって、水中を泳ぐ生魚があたかも背景の透光性フィルムの画像の景色等の中を泳いでいるかのように見せることができるようにすることであり、またこれによって水中を泳ぐ生魚と背景画像との一体感を高めることである。【０００５】また他の目的は、透過光によって背景の画像を水中で浮き上がらせることによって、水槽装置の中を非常に明るく、かつ見る者を目を奪うかのような不思議な光景の水槽装置として、非常にインテリア性と、商品価値の高い水槽装置とすることである。【０００６】更に他の目的は、透光性フィルムを差し替え可能とすることによって、水槽装置は一つでも透光性フィルムに描かれた画像を変えることによって、あたかも異なる水槽装置のような印象を得ることができるようにすることであり、またこれによって一つの水槽装置で各種の画像による何種類もの水中景色を楽しむことができるようにすることである。【０００７】また他の目的は、照明装置に導光板を用いることによって、従来の内照式照明に比べてその厚さを１／１０位に薄くすることを可能にして、内照明式照明装置でありながら、照明装置を約１０ｍｍ位の厚さにすることを可能とし、水槽装置の薄型化を達成することである。【０００８】また他の目的は、水槽装置が薄型故にこれを看板としても使用できるようにし、例えば商業施設の場合には、カウンタ等の横に置いておき、透光性フィルムには顧客へのメッセージを伝えるメディアを描いておくことで、店の看板として利用できるようにし、またこれによって店の顧客吸引力を増大させることができるようにすることである。【０００９】また他の目的は、一般家庭では、透光性フィルムに思い出の家族写真等を透光性フィルムの画像として描いて差し込むことで、写真立てのような利用もできるようにすることである。【００１０】また他の目的は、透光性フィルムにオリジナルカレンダーを画像として描くことで、毎月水槽装置のイメージチェンジができて、水槽装置を楽しむことができるようにすることである。【００１１】また他の目的は、導光板の溝を格子状とすることによって、光源からの光を導光板の全面から縦横にむらなく導くことを可能し、より均等な全面的な明るさが得られるようにすることである。【００１２】更に他の目的は、光源に発光ダイオードを用いることによって、玉切れをなくし、玉交換に要する工数を節減し、また非常に明るい照明でありながら、照明のための電力の大幅な節減を図り、省エネルギ化を達成することである。
【課題を解決するための手段】
【００１３】要するに本考案（請求項１）は、少なくとも正面及び背面が透明な板材で構成され内部に水を入れてその中で生魚を育成する水槽装置において、少なくとも前記背面を構成する透明な前記板材に密着してその背後において差し替え可能に構成され各種の画像が描かれた透光性フィルムと、該透光性フィルムの更に背後に配置され光源と該光源からの光を広い範囲に均等の明るさにして前記透光性フィルムに平面的に広がった光を供給するように多数の溝が形成された導光板と該導光板の更に背後に密着して配置された反射板とからなる照明装置とを備え、前記照明装置からの光が前記透光性フィルムの全面を明るく照明し該透光性フィルムの前記画像を前記生魚が泳ぐ水を通して前記正面から見ることができるようにしたことを特徴とするものである。【００１４】また本考案（請求項２）は、前記導光板の溝は、格子状であることを特徴とするものである。【００１５】また本考案（請求項３）は、前記光源は、発光ダイオードであることを特徴とするものである。
【考案の効果】
【００１６】本考案は、上記のように少なくとも正面及び背面が透明な板材で構成され内部に水を入れてその中で生魚を育成する水槽装置において、少なくとも背面を構成する透明な板材に密着してその背後において差し替え可能に構成され各種の画像が描かれた透光性フィルムと、該透光性フィルムの更に背後に配置され光源と該光源からの光を広い範囲に均等の明るさにして透光性フィルムに平面的に広がった光を供給するように多数の溝が形成された導光板と該導光板の更に背後に密着して配置された反射板とからなる照明装置とを備え、照明装置からの光が透光性フィルムの全面を明るく照明し該透光性フィルムの画像を生魚が泳ぐ水を通して正面から見ることができるようにしたので、水中を泳ぐ生魚があたかも背景の透光性フィルムの画像の景色等の中を泳いでいるかのように見せることができる効果があり、またこの結果水中を泳ぐ生魚と背景画像との一体感を高めることができる効果がある。【００１７】また透過光によって背景の画像を水中で浮き上がらせるので、水槽装置の中を非常に明るく、かつ見る者を目を奪うかのような不思議な光景の水槽装置として、インテリア性と、商品価が値非常に高い水槽装置を提供し得る効果がある。【００１８】更には、透光性フィルムを差し替え可能としたので、水槽装置は一つでも透光性フィルムに描かれた画像を変えることで、あたかも異なる水槽装置のような印象を得ることができる効果があり、またこの結果一つの水槽装置で各種の画像による何種類もの水中景色を楽しむことができるという効果がある。【００１９】また照明装置に導光板を用いるたので、従来の内照式照明に比べてその厚さを１／１０位に薄くすることが可能となり、内照明式照明装置でありながら、照明装置を約１０ｍｍ位の厚さにすることが可能となり、水槽装置の薄型化を達成することができる効果がある。【００２０】また水槽装置が薄型故にこれを看板としても使用できる効果があり、例えば商業施設の場合には、カウンタ等の横に置いておき、透光性フィルムには顧客へのメッセージを伝えるメディアを描いておくことで、店の看板として利用でき、またこの結果店の顧客吸引力を増大させることができる効果がある。【００２１】また一般家庭では、透光性フィルムに思い出の家族写真等を透光性フィルムの画像として描いて差し込むことで、写真立てのような利用もできるという効果がある。【００２２】また透光性フィルムにオリジナルカレンダーを画像として描くことで、毎月水槽装置のイメージチェンジができて、水槽装置を楽しむことができるという効果がある。【００２３】また導光板の溝を格子状としたので、光源からの光を導光板の全面から縦横にむらなく導くことが可能となり、より均等な全面的な明るさが得られるという効果がある。【００２４】更には、光源に発光ダイオードを用いたので、玉切れをなくし、玉交換に要する工数を節減することができ、また非常に明るい照明でありながら、照明のための電力の大幅な節減を図り、省エネルギ化を達成することができる効果がある。
【考案を実施するための最良の形態】
【００２５】以下本考案を図面に示す実施例に基づいて説明する。図１から図４において、本考案に係る水槽装置１は、少なくとも正面１ａ及び背面１ｂが透明な板材２，３で構成されており、内部に水７を入れてその中で生魚４を育成し、またこれを鑑賞する水槽装置であって、透光性フィルム５と、照明装置６とを備えている。【００２６】透光性フィルム５は、少なくとも背面１ｂを構成する透明な板材３（ほとんどアクリル樹脂製のものが用いられる。）に密着してその背後において差し替え可能に構成され各種の画像５ａが描かれたものであって、水７に浸されることなく、乾燥した状態に保つことができるようになっている。透光性フィルム５の材料は、合成樹脂であり、画像５ａは、絵画でも、写真でも何でもよく、また業務用としては、顧客へのメッセージを伝えるメディアや１年分が１２ヵ月の１２枚等で構成されるカレンダーでもよく、家庭用としては、大切な思い出の家族写真でもよい。透光性フィルム５へのプリントは、主としてカラー印刷により行う。
なお本明細書でいう「画像」とは、上記のような各種の伝達媒体を含むものであるから、図形に限定されるものではなく、文字及び記号の類も含むものと解釈すべきである。
画像５ａのモチーフとしては、例えば図１及び図４に示すものでは、海に浮かぶ島を、図３に示すものでは、アメリカ西部のモニュメントバレーが夫々描かれている。
そして厚さは、抜き差しに耐える程度の強度が必要であるため、０．５ｍｍ乃至１ｍｍ位のものが好適である。【００２７】照明装置６は、透光性フィルム５の更に背後に配置されており、光源の一例たる発光ダイオード８と、該光発光ダイオードからの光を矢印Ａ（図６）の如く上下方向に導き、更に矢印Ｂの如く正面１ａ側に光を導き、広い範囲に均等の明るさにして透光性フィルム５に平面的に広がった光を供給するように多数の溝９ａが形成された導光板９と、該導光板の更に背後に密着して配置された光反射板１０とからなり、発光ダイオード８は、照明装置６の上下に多数配設されており、導光板９の上下から光が矢印Ａの如く進入するように構成されており、その消費電力は、極めて少く、全部でも数Ｗ程度であり、照明用としては極めて明るいにもかかわらず、省エネルギ化を図っている。【００２８】導光板９は、厚さ１０ｍｍ位の暑いアクリル樹脂製のものであり、溝９ａは、図４、図５、図８及び図９に示すように、格子状にかつ縦横に平行に正面１ａと反対側に切られている。溝９ａの谷の角度は例えば９０度、深さは０．２乃至０．３ｍｍ位であるが、これに限定されるものではない。
溝９ａの加工は、例えばレーザ加工、刃物による切削加工があるが、量産用には、型を用いたインジェクションによる加工が最適である。【００２９】光反射板１０は、導光板９の溝９ａから出た光を効率よく正面１ａ側に反射させるためのものであり、白い紙やアルミニウム箔でもよい。【００３０】そして本考案に係る水槽装置１は、照明装置６からの光が透光性フィルム５の全面を明るく照明し該透光性フィルムの画像５ａを、生魚４が泳ぐ水７を通して、正面１ａから見ることができるようにしたものである。【００３１】また図１から図３に示すように、水槽装置１の上部には、濾過装置１１が収容された上部カバー１２が設けられ、その下端１２ａは、水面７ａよりも下側に配置されて、水槽装置１の外部からは水面７ａが見えないようになっている。【００３２】濾過装置１１には水中に配置されたポンプ１３と、該ポンプに水７を供給するための吸水管１４と、粗大異物を除去するためのストレーナ１５と、濾過された水７を吐出するための吐出管１６が設けられており、水７は常時濾過装置１１を循環して濾過され、きれいな水７となって戻されるようになっている。【００３３】また図４において、照明装置６の発光ダイオード８は、配線１８によりスイッチ１９及び整流器２０を介して商用の交流電源２１に接続できるようになっている。
またポンプ１３も別の配線（図示せず）により交流電源２１に接続できるようになっている。【００３４】本考案は、上記のように構成されており、以下その作用について説明する。空の状態の水槽装置１には、まず水７をその水面７ａが上部カバー１２ａの下端１２ａよりも上になるまで入れ、外部からは水面７ａが見えないようにする。
その後適数の生魚４を入れ、これらを自由に泳がせ、この状態でポンプ１３及び照明装置６を交流電源２１に接続する。【００３５】すると、ポンプ１３が作動し、水７はストレーナ１５で粗大異物が除去されて吸水管１４を通ってポンプ１３により加圧されて濾過装置１１に入り、ここで十分に濾過されると同時に必要なミネラル成分等が与えられた生魚の成育に好適な水７となって、吐出管１６から再び水７中に戻され、以下同様に循環し、水７は常に生魚にとって好ましい環境を保つ。
このとき、水７の水面７ａは、ある程度波立つが、水面７ａは上部カバー１２により隠されているので、外部からは見えない。このため水７は外部からは静止しているように見える。即ち、水中眼鏡で水の中を見たような透明な波立ちのない状態に見える。【００３６】一方、照明装置６を交流電源２１に接続し、スイッチ１９を矢印Ｃの如く押すことで、多数の発光ダイオード８が一斉に点灯し、その光は矢印Ａの如く導光板９に上下方向から進入し、導光板９の格子状の多数の溝９ａに当たって、光反射板１０の方向に一旦出ることになる。
そして光反射板１０により反射して、方向が逆転し、矢印Ｂの如く再び導光板９に入ってこれを通過し、透光性フィルム５を矢印Ｂの如く通過しつつ該透光性フィルムを広い範囲で均等な明るさで照明し、更に透明な板材３、水７及び透明な板材２を通過して、水槽装置１の正面１ａから外部に出る。【００３７】これを水槽装置１の外部、即ち正面１ａ側から見ると、透光性フィルム５の全面が明るく輝き、透過光であるため、水７と一体感が出て、あたかも透光性フィルム５の画像５ａに描かれた景色の中を生魚４が泳いでいるように見え、従来にない素晴らしい見栄えのある水槽装置１となっている。
これは水槽装置１の背面１ｂの全体が透光性フィルム５により光ることによるもので、鑑賞用水槽装置の観点から、まさに画期的なものとなっている。【００３８】また本考案に係る水槽装置１は、単なる水槽装置１というだけではなく、広告用の看板としても、また時には額縁のようにも使えるので、貴重な思い出の家族写真等を透光性フィルム５に画像５ａとしてプリントしておけば、単なる写真立てよりもはるかに商品価値の高いものとなる。
また透光性フィルム５の画像５ａとして、オリジナルカレンダーをプリントすれば、透光性フィルム５は差し替え可能であるため、毎月水槽装置１のイメージチェンジができて楽しむこともできる。
更に、商業施設の場合では、カウンター横に置いて、透光性フィルム５の画像５ａとして顧客へのメッセージを伝えるメディアを入れておけば、キャンペーン等の看板代わりになり、商業施設でも大いに利用価値がある。
【図面の簡単な説明】
【００３９】
【図１】図面は本考案の実施例に係り、図１は水槽装置の使用状態を示す斜視図である。
【図２】水槽装置の使用状態を示す正面図である。
【図３】水槽装置の使用状態を示す縦断面図である。
【図４】水槽装置の使用状態を示す分解斜視図である。
【図５】照明装置の正面図である。
【図６】照明装置の作用を示す縦断面図である。
【図７】照明装置の作用を示す部分拡大縦断面図である。
【図８】導光板及び光反射板の部分拡大斜視図である。
【図９】導光板の溝の形状を示す部分拡大斜視図である。
【符号の説明】
【００４０】    １    水槽装置
１ａ  正面
１ｂ  背面
２    透明な板材
３    透明な板材
４    生魚
５    透光性フィルム
５ａ  画像
６    照明装置
７    水
７ａ  水面
８    光源の一例たる発光ダイオード
９    導光板
９ａ  溝
１０    光反射板
１１    濾過装置
１２    上部カバー
１２ａ  下端
１３    ポンプ
１４    吸水管
１５    ストレーナ
１６    吐出管
１８    配線
１９    スイッチ
２０    整流器
２１    交流電源
Ａ    矢印
Ｂ    矢印
Ｃ    矢印
【図１】
0003131568.tif 000003
【図２】
0003131568.tif 000004
【図３】
0003131568.tif 000005
【図４】
0003131568.tif 000006
【図５】
0003131568.tif 000007
【図６】
0003131568.tif 000008
【図７】
0003131568.tif 000009
【図８】
0003131568.tif 000010
【図９】
0003131568.tif 000011